(57)【要約】【課題】  散水範囲が長距離に及ぶ場合にも効率良く路面に散水できる路側壁を得る。【解決手段】  高速道路１０の側方には、遮音壁１２の壁部１４が設置され、壁部１４の上方に受入部１６が配置される。降雨時には、雨水が受入部１６に受け入れられた後、貯水タンク２０に貯水される。貯水された雨水は、散水部２４で開閉弁２６が開かれることによって路面に散水される。これにより、散水範囲が長距離に及ぶ場合にも効率良く路面に散水できる。【選択図】      図２
2006257834.tif 000002
【特許請求の範囲】
【請求項１】
道路の側方に設置される壁部と、
前記壁部に取り付けられ、雨水を受け入れる受入部と、
前記受入部に受け入れられた雨水を貯水する貯水槽と、
前記貯水槽に連結され、開閉可能な開閉弁を備えて前記貯水槽に貯水された前記雨水を路面に散水する散水部と、
を有することを特徴とする路側壁。
【請求項２】
前記貯水槽が前記壁部の背面側に配置されることを特徴とする請求項１記載の路側壁。
【発明の詳細な説明】
【技術分野】
【０００１】
本発明は、道路の側方に設置される路側壁に関する。
【背景技術】
【０００２】
路面冷却等のために行う路面散水においては、大量の水を運ぶために、散水車を用いている場合がある（例えば、特許文献１参照）。このような路面散水では、散水車が走行しながら、路面上に散水している。
【０００３】
しかし、この従来の路面散水では、例えば、高速道路等のように、散水範囲が長距離に及ぶ場合には、散水効率が悪い。
【特許文献１】特開平１１−３５０４４３号公報
【発明の開示】
【発明が解決しようとする課題】
【０００４】
本発明は、上記事実を考慮して、散水範囲が長距離に及ぶ場合にも効率良く路面に散水できる路側壁を提供することを課題とする。
【課題を解決するための手段】
【０００５】
請求項１に記載する本発明の路側壁は、道路の側方に設置される壁部と、前記壁部に取り付けられ、雨水を受け入れる受入部と、前記受入部に受け入れられた雨水を貯水する貯水槽と、前記貯水槽に連結され、開閉可能な開閉弁を備えて前記貯水槽に貯水された前記雨水を路面に散水する散水部と、を有することを特徴とする。
【０００６】
請求項１に記載する本発明の路側壁によれば、道路側方で受入部に受け入れられた雨水が、貯水槽に貯水される。貯水された雨水は、散水部で開閉弁が開かれることによって路面に散水される。これにより、散水範囲が長距離に及ぶ場合にも効率良く路面に散水できる。
【０００７】
請求項２に記載する本発明の路側壁は、請求項１記載の構成において、前記貯水槽が前記壁部の背面側に配置されることを特徴とする。
【０００８】
ここで、壁部の背面側とは、壁部の道路側の面に対する反対面の側をいう。
【０００９】
請求項２に記載する本発明の路側壁によれば、壁部の背面側に貯水槽が配置されるので、貯水槽の設置が容易となる。
【発明の効果】
【００１０】
以上説明したように、本発明の路側壁によれば、散水範囲が長距離に及ぶ場合にも効率良く路面に散水できるという優れた効果を有する。
【発明を実施するための最良の形態】
【００１１】
本発明における路側壁の実施形態を図面に基づき説明する。なお、図中では、高速道路１０側に対して遮音壁（路側壁）１２を挟んで反対側を反道路側として１００で示す。
【００１２】
図１に示されるように、高速道路１０の側方には、遮音壁１２の壁部１４が設置されている。壁部１４は、高速道路１０の側方に所定の間隔で立設された支柱（図示省略）にフレーム（図示省略）を介して支持されている。
【００１３】
壁部１４は、図２に示されるように、内部に吸音材１４Ａが配置されている。この吸音材１４Ａは、高速道路１０側（騒音源側）に面して配置される金属製の表面カバー１４Ｂの裏側に取り付けられており、表面カバー１４Ｂには、多数の貫通孔（図示省略）が形成されている。吸音材１４Ａの背面側及び上下左右は、断面略コ字状に加工された金属製の背面カバー１４Ｃによって覆われている。背面カバー１４Ｃの端部は、表面カバー１４Ｂの端部に接続されており、表面カバー１４Ｂと背面カバー１４Ｃとが、吸音材１４Ａの収容ケースを構成している。これにより、壁部１４が高速道路１０側で発生した騒音を遮るようになっている。
【００１４】
図１及び図２に示されるように、壁部１４の上方には、雨水を受け入れる受入部１６が配置される。受入部１６は、容器状とされ、上方が開口されて取込口部１６Ａとなっている。図２に示されるように、受入部１６の高速道路１０側の側部は、上部が高速道路１０側（図２の右側）に傾斜する路側傾斜部１６Ｂとなっており、路側傾斜部１６Ｂの上部は、壁部１４の表面カバー１４Ｂより高速道路１０側（図２の右側）に位置する。受入部１６の反道路側１００の側部には、路側傾斜部１６Ｂとは反対側に傾斜する外側傾斜部１６Ｃが形成され、外側傾斜部１６Ｃの上部は、壁部１４の背面カバー１４Ｃの背面部より反道路側１００（図２の左側）に位置する。
【００１５】
路側傾斜部１６Ｂの下端からは、壁部１４の上端面に平行な底部１６Ｄが形成されており、この底部１６Ｄは、図示しない固定金具により壁部１４の上端部に固定される。
【００１６】
底部１６Ｄより反道路側１００で外側傾斜部１６Ｃより高速道路１０側には、垂直下方に突出した突出部１８が形成されている。突出部１８は、底部１６Ｄの端部から下方に延びた面が壁部１４の背面カバー１４Ｃの背面部に接している。突出部１８の下部は、雨水排出用の貫通孔１８Ａが貫通形成されており、受入部１６に受け入れられた雨水を貫通孔１８Ａから排出できるようになっている。なお、この貫通孔１８Ａには、フィルター１９が配置される。このフィルター１９には、自己清掃機能のあるものを用いるとなお良い。
【００１７】
貫通孔１８Ａの下方には、貯水槽としてプラスチック製の貯水タンク２０が配置される。貯水タンク２０は、貯水タンク２０の下方の支持台２２上に固定されると共に、壁部１４の背面側（反道路側１００）に密着して固定配置されている。ここで、壁部１４の反道路側１００に貯水タンク２０が配置されるので、貯水タンク２０の設置は容易である。
【００１８】
なお、本実施形態では、貯水槽として、一体成形されたプラスチック製の貯水タンク２０を適用しているが、例えば、ＦＲＰ（繊維強化プラスチック）製のパネルを組み合せて底壁、側壁等を構成した貯水槽を適用してもよい。
【００１９】
貯水タンク２０は、上部に蓋部２０Ａが設けられた横長の薄い方形箱型に形成されている。蓋部２０Ａには、開口部２０Ｂが形成され、受入部１６に受け入れられて排出された雨水を貯水タンク２０内に貯水できるようになっている。貯水タンク２０の上部と、受入部１６の突出部１８との間には、若干の間隔があり、貯水タンク２０の開口部２０Ｂの内径は、突出部１８の貫通孔１８Ａの内径よりも大きい。
【００２０】
貯水タンク２０の背面側（反道路側１００）の上部には、オーバーフロー用排水口２０Ｃが形成されている。オーバーフロー用排水口２０Ｃの上下には、排水の流出方向を定めるガイド部２０Ｄが設けられる。これにより、貯水タンク２０に大量の雨水が流入した場合には、貯水タンク２０のオーバーフロー用排水口２０Ｃから雨水がオーバーフローし、図示しない排水経路を通って排水処理されるようになっている。
【００２１】
図１に示されるように、貯水タンク２０の壁部１４側の下部には、所定の間隔を隔てて複数の散水部２４が連結されている。散水部２４は、遮音壁１２の設置面より高い位置に配置される。散水部２４には、貯水タンク２０の下部貫通部分に開閉可能な開閉弁２６が配置される。この開閉弁２６は、ソレノイド部（図示省略）の動作により開閉する電磁弁である。
【００２２】
本実施形態では、開閉弁２６は、図２に示されるように、壁部１４の表面カバー１４Ｂに取り付けられた制御部３０を介して受信部３２に接続されている。ここで、図示しないリモコンから送信された指示信号を受信部３２が受信すると、制御部３０が開閉弁２６を開閉する指令を発してソレノイド部（図示省略）の動作により開閉弁２６が開閉されるようになっており、電波を利用した無線による開閉弁２６の開閉（遠隔操作による開閉）が可能となっている。
【００２３】
散水部２４は、開閉弁２６の配置位置から壁部１４を水平方向に貫通する散水管２８を備えている。散水管２８の散水口２８Ａは、壁部１４の表面カバー１４Ｂから突出しており、高速道路１０の路面より高い位置に配設される。
【００２４】
次に、上記の実施形態の作用を説明する。
【００２５】
降雨時には、高速道路１０の側方において、壁部１４の上方の受入部１６で雨水が受け入れられる。この雨水は、突出部１８の貫通孔１８Ａから排水されて貯水タンク２０に貯水される。ここで、貯水タンク２０に大量の雨水が流入した場合には、貯水タンク２０のオーバーフロー用排水口２０Ｃから雨水がオーバーフローし、図示しない排水経路を通って排水処理される。
【００２６】
路面の冷却が必要になったとき等、路面への散水が必要となった場合には、例えば、道路点検用の走行車両（又は管理事務所）等からリモコンで開閉弁２６を開く指示を送信する。受信部３２が指示信号を受信すると、制御部３０が開閉弁２６を開く指令を発してソレノイド部（図示省略）の動作により開閉弁２６が開かれる。これによって、貯水タンク２０に貯水された雨水が散水管２８を通って散水口２８Ａから高速道路１０の路面に散水される。これにより、散水範囲が長距離に及ぶ場合にも効率良く路面に散水できる。
【００２７】
次に、路側壁としての遮音壁の第２の実施形態を説明する。第１の実施形態では、リモコンによって開閉弁２６を開閉する場合について説明したが、第２の実施形態は、サーモスタットにより開閉弁を開閉させる形態である。なお、他の点については、第１の実施形態とほぼ同様の構成であるので、本実施形態においても、図１及び図２を参照すると共に、同一部材については、説明を省略する。
【００２８】
第２の実施形態に係る遮音壁１２は、壁部１４の近くの高速道路１０上又は高速道路１０周辺にサーモスタット（図示省略）を配置し、このサーモスタットを開閉弁２６のソレノイド部（図示省略）に接続している。サーモスタットの設置箇所の温度（路面温度又は周辺温度）が予め設定した温度（例えば、４５℃）以上になった場合にスイッチが入るように設定しておき、スイッチが入ったときに、ソレノイド部（図示省略）の動作により開閉弁２６が開くようになっている。
【００２９】
なお、サーモスタットとしては、バイメタル式（熱膨張率の異なる２種の金属板を貼り合わせて温度が高くなると膨張率の高い金属が延び曲がりスイッチが入るもの）を適用するのがよい。
【００３０】
次に、路側壁としての遮音壁の第３の実施形態を説明する。第３の実施形態は、温度センサの検出温度に基づいて開閉弁が開閉する形態である。他の点については、第１の実施形態とほぼ同様の構成であるので、本実施形態においても、図１及び図２を参照すると共に、同一部材については、説明を省略する。
【００３１】
第３の実施形態に係る開閉弁２６は、ソレノイド部が制御部３０を介して温度センサ（図示省略）に接続されている。
【００３２】
温度センサは、壁部１４の近くの高速道路１０上又は高速道路１０周辺に配置されており、設置箇所で検出した温度（路面温度又は周辺温度）が予め設定した温度（例えば、４５℃）以上になった場合に、制御部３０からソレノイド部にオン信号が送られて開閉弁２６が開くようになっており、これにより雨水が路面に散水される。
【００３３】
一方、設置箇所で検出した温度（路面温度又は周辺温度）が予め設定した温度（例えば、４５℃）未満の場合には、制御部３０からソレノイド部にオフ信号が送られて開閉弁２６が閉じるようになっており、雨水の路面への散水が停止される。
【００３４】
なお、第３の実施形態では、制御部３０に温度センサを接続しているが、制御部３０に湿度センサを接続すると共に、この湿度センサを高速道路１０上又は高速道路１０周辺に配置し、一定以下の湿度の場合に、制御部３０からソレノイド部にオン信号を送って開閉弁２６を開くような構成としてもよい。また、タイマーを制御部３０に接続すると共に、このタイマーに基づいて一定時間の周期で制御部３０からソレノイド部にオン信号を送って開閉弁２６を開くような構成としてもよい。
【００３５】
なお、上記第１〜第３の実施形態では、リモコンや自動制御により開閉弁２６を開閉させる場合について説明したが、開閉弁２６をコックとして、コックのハンドル位置を操作可能な位置にし、手動でハンドルを回して開閉弁２６を開閉させてもよい。
【００３６】
また、上記第１〜第３の実施形態では、壁部１４の上方に受入部１６を配置したが、壁部１４の側方に配置してもよい。
【００３７】
さらに、上記第１〜第３の実施形態では、壁部１４に雨水受入用の受入部１６を固定したが、いわゆる分岐型遮音壁（壁部の上端に音源側へ傾斜する第１の分岐壁を設けると共に、音源側とは反対の側へ傾斜する第２の分岐壁を設けた遮音壁）の断面Ｙ字状の上部を受入部として雨水を取り込んでもよく、また、いわゆるトナカイ型遮音壁（前記第１及び第２の分岐壁にこれら分岐壁とは異なる方向に再分岐する再分岐壁を設けた遮音壁（例えば、特開平８−８５９２１号公報、特開２００１−１７２９２１公報等参照））の断面Ｙ字状の上部を受入部として雨水を取り込んでもよい。
【００３８】
さらにまた、上記第１〜第３の実施形態では、貯水タンク２０を壁部１４の背面側に配置する場合について説明したが、貯水タンク２０を壁部１４の内部に配置してもよい。
【００３９】
なお、本実施形態では、路側壁として遮音壁１２に適用した場合を例に挙げて説明したが、内部に吸音材１４Ａ等が配置されない道路側壁であってもよい。また、既設の遮音壁を壁部とし、受入部、貯水槽、及び、散水部を後付けして本発明の路側壁としてもよい。
【図面の簡単な説明】
【００４０】
【図１】本発明の実施形態に係る遮音壁の第１の実施形態を示す斜視図である。（壁部を二点鎖線で示し、貯水タンク及び散水部等を透視した状態で示す。）
【図２】図１の２−２線断面に相当する断面図である。
【符号の説明】
【００４１】
１０    高速道路（道路）
１２    遮音壁（路側壁）
１４    壁部
１６    受入部
２０    貯水タンク（貯水槽）
２４    散水部
２６    開閉弁
【図１】
2006257834.tif 000003
【図２】
2006257834.tif 000004